(57)【要約】【課題】口栓の筒状部内に納まっている開封用の被引治具の引っ張り作用部を筒状部の外に容易に引っ張り出せるようにした。【解決手段】内部が閉塞壁２により閉塞されている筒状部３を備えた合成樹脂製の口栓本体１と該口栓本体１の筒状部３の外周に嵌着するキャップ６とからなり、前記筒状部３を閉塞する閉塞壁２に立設した被引治具９を引っ張って、閉塞壁２に設けられた薄肉線部８を引き裂き、該薄肉線部８で囲まれた閉塞壁２を取り除いて開封する容器の口栓において、前記閉塞壁２に立設した被引治具９の先端には引っ張り作用部１０を有しており、前記引っ張り作用部１０には、引っ張り作用部１０を筒状部３の外に引っ張り出す引っ張り代１１を設けた。【選択図】  図１
2004291988.tif 000002
【特許請求の範囲】
【請求項１】
内部が閉塞壁により閉塞されている筒状部を備えた合成樹脂製の口栓本体と該口栓本体の筒状部の外周に嵌着するキャップとからなり、前記筒状部を閉塞する閉塞壁に立設した被引治具を引っ張って、閉塞壁に設けられた薄肉線部を引き裂き、該薄肉線部で囲まれた閉塞壁を取り除いて開封する容器の口栓において、
前記閉塞壁に立設した被引治具の先端には引っ張り作用部を有しており、前記引っ張り作用部には、引っ張り作用部を筒状部の外に引っ張り出す引っ張り代が設けられていることを特徴とする容器の口栓。
【請求項２】
前記引っ張り作用部に設けた引っ張り代は、引っ張り作用部から筒状部外方向に向けて突出する突出部からなり、この突出部は前記筒状部にキャップを嵌着した状態で口栓本体の筒状部内とキャップの天板との間に形成された空間に弾性変形して収容され、前記筒状部からキャップを外したとき、弾性変形からの復元力により筒状部の外に飛び出すように構成されていることを特徴とする請求項１に記載の容器の口栓。
【請求項３】
前記引っ張り作用部に設けた引っ張り代は、引っ張り作用部に設けられた指先係止部からなることを特徴とする請求項１に記載の容器の口栓。
【発明の詳細な説明】
【０００１】
【発明の属する技術分野】
本発明は容器に取り付けられる口栓に関する。
【０００２】
【従来の技術】
紙を基材とし、内側及び外側にヒートシールに優れたポリオレフィン系を代表とする熱可塑性樹脂をラミネートした容器が、牛乳、ジュース、清酒、醤油等の液体を充填する容器、更には米等の固形粒体等を充填する容器として広く使用されている。
【０００３】
これらの容器の多くは、該容器から液体内容物、又は固形粒体内容物を注出するため、合成樹脂製の口栓が取り付けられており、この口栓として、衛生上やタンパーエビデントといった観点から、内部が閉塞壁により閉塞されている筒状部を備えた合成樹脂製の口栓本体と該口栓本体の筒状部の外周に嵌着するキャップとからなり、開封の際、キャップを外し、口栓本体の筒状部内に指を差し込んで前記筒状部を閉塞する閉塞壁に立設した被引治具を引っ張ることにより、閉塞壁に設けられた薄肉線部を引き裂き、該薄肉線部で囲まれた閉塞壁を取り除いて開封する口栓が知られている。
【０００４】
前記口栓にあって、閉塞壁に立設した被引治具は、一般に、プルリングに代表される指掛け部を有しており、プルリングに指を掛けて引っ張るようになっているが、前記プルリングは口栓本体の筒状部内にあるため、プルリング内径はこの筒状部内径よりも小さく設計されていて、特に筒状部の内径が小さい口栓は指がプルリングに入り難くなり、それに加えて指をプルリングに差し込もうとすることでプルリングを筒状部の奥へ押し込んでしまうといったことがあり、被引治具の引っ張りによる口栓の開封を面倒なものとしている。
【０００５】
これを解決するためには、口栓本体の筒状部の内径を大きくすればよいが、この種の口栓が取り付けられる容器の取り付け面の広さとの関係で口栓はできるだけ小さくすることが求められている。その結果として、口栓本体の筒状部の内径の小さな口栓においても開封を容易にする試みがなされてきた。
【０００６】
例えば、キャップを閉めた時、プルリングに指を差し込む時に邪魔になる口栓本体の筒状部の上縁がキャップの天板の下面よりも大きく下がった位置にあり、その一部はプルリングの下縁付近にまで下がった位置に設定され、尚かつ傾斜しており、更には、キャップを外した時にプルリングのうちで支柱から遠い部分が上方に持ち上がる等してプルリングに指を差し込んで引っ張り易くした口栓（例えば、特許文献１参照）や、口栓本体の筒状部内でプルリングが折れ曲がって筒状部内に納まるように成形されていることで注出筒内径よりも大きな内径のプルリングを得ることを可能とし、更に、プルリング上端を筒状部の上縁より高くすることでプルリングを注出筒から引き出し易くした口栓（例えば、特許文献２参照）や、口栓本体の筒状部内のプルリングの支柱部分を裂けて広がるようにし、結果的にプルリング内径を筒状部内径よりも大きくすることで小さな口栓でもプルリングに指を挿入し易くした口栓（例えば、特許文献３参照）が提案されている。
【０００７】
【特許文献１】
実開昭５９−１０６８５９号公報
【０００８】
【特許文献２】
特開平９−３０１３９１号公報
【０００９】
【特許文献３】
特開２００２−２４０８４６号公報
【００１０】
【発明が解決しようとする課題】
しかしながら、前記特許文献１で提案されている口栓にあっては、プルリング外径が筒状部の内径よりも小さいことから、筒状部の内径が小さい口栓では指をプルリングに挿入し難くなってしまうといったことや、筒状部が短かすぎると筒状部から内容物を円滑に注ぎ出せなくなるために筒状部は短かすぎてはいけないという制約があるため、いきおい口栓の高さが高くなってしまうことになり、容器がゲーブルトップ型カートンである場合、口栓を取り付ける上部パネルが斜めであるため、これに取り付けた口栓が斜め上方に延びて水平方向に張り出すことになり、充填機で内容液を充填する時に充填機の部品に接触したり、複数本が入る流通用のクレートにカートンを出し入れする時に、キャップが隣のカートンに引っ掛かったりして支障がでてしまうといったことや、搬送時にカートンが嵩張るといった問題がある。
【００１１】
また、前記特許文献２で提案されている口栓にあっては、筒状部内という制約された狭い空間内でプルリングが折れ曲がって筒状部内に略納まるように成形されたもので、キャップを外し被引冶具であるプルリングの弾性変形が解除された状態においても、プルリングの殆どが筒状部の上端縁よりも下の制約された狭い注出筒内に納まったままなので、筒状部の小さな口栓においては、略筒内に納まっているプルリングに指を深く挿入し力を入れて引っ張れる地点まで筒状部から引き出さなければならないが、プルリングを構成する樹脂は表面が滑り易く平らであるので、爪を掛けたり指で摘んでの引き出しに苦労するといった問題がある。
【００１２】
また、前記特許文献３で提案されている口栓にあっても、キャップを取り除き被引冶具であるプルリングの弾性変形が解除されても、プルリングはその殆どが筒状部内に納まっており、これに指先を引っ掛ける等してプルリングに指を深く挿入し、力を入れて引っ張れる地点まで引き出さなければならないが、特許文献２で提案されている口栓と同様にプルリングの引き出しに苦労するといった問題がある。
【００１３】
本発明の目的は、口栓の筒状部内に納まっている開封用の被引治具の引っ張り作用部を筒状部の外に容易に引っ張り出せるようにした容器の口栓を提供することにある。
【００１４】
【課題を解決するための手段】
上記の目的を達成するために、請求項１に記載の発明は、内部が閉塞壁により閉塞されている筒状部を備えた合成樹脂製の口栓本体と該口栓本体の筒状部の外周に嵌着するキャップとからなり、前記筒状部を閉塞する閉塞壁に立設した被引治具を引っ張って、閉塞壁に設けられた薄肉線部を引き裂き、該薄肉線部で囲まれた閉塞壁を取り除いて開封する容器の口栓において、前記閉塞壁に立設した被引治具の先端には引っ張り作用部を有しており、前記引っ張り作用部には、引っ張り作用部を筒状部の外に引っ張り出す引っ張り代が設けられていることを特徴とする。
【００１５】
かかる構成から、開封に際し、被引治具の先端に有する引っ張り作用部に設けられている引っ張り代を指先で引っかける或いは摘むことにより、引っ張り作用部を筒状部の外に容易に引っ張り出すことができる。これにより、引っ張り出した引っ張り作用部をしっかりと捕らえることができ、被引治具を力を込めて引っ張り閉塞壁に設けられた薄肉線部を引き裂いて、該薄肉線部で囲まれた閉塞壁を取り除いて開封することができる。
【００１６】
請求項２に記載の発明は、請求項１に記載の、前記引っ張り作用部に設けた引っ張り代が、引っ張り作用部から筒状部外方向に向けて突出する突出部からなり、この突出部は前記筒状部にキャップを嵌着した状態で口栓本体の筒状部内とキャップの天板との間に形成された空間に弾性変形して収容され、前記筒状部からキャップを外したとき、弾性変形からの復元力により筒状部の外に飛び出すように構成されていることを特徴とする。
【００１７】
かかる構成から、開封に際し、口栓本体の筒状部からキャップを外したとき、筒状部内とキャップの天板との間に形成された空間に弾性変形して収容されていた突出部からなる引っ張り代がキャップによる応力から開放され、その復元力により筒状部の外に飛び出すので、この飛び出している突出部を指先で摘むことにより、引っ張り作用部を筒状部の外に容易に引っ張り出すことができ、これにより、引っ張り出した引っ張り作用部をしっかりと捕らえることができる。
【００１８】
請求項３に記載の発明は、請求項１に記載の、前記引っ張り作用部に設けた引っ張り代は、引っ張り作用部に設けられた指先係止部からなることを特徴とする。
【００１９】
かかる構成から、開封に際し、被引治具の先端に有する引っ張り作用部に設けられている指先係止部からなる引っ張り代を指先で引っかける或いは摘むことにより、引っ張り作用部を筒状部の外に容易に引っ張り出すことができ、これにより、引っ張り出した引っ張り作用部をしっかりと捕らえることができる。
【００２０】
【発明の実施の形態】
図１は本発明に係る容器の口栓の実施の形態の第１例を示した縦断面図、図２は図１に示す口栓のキャップを外した状態を示す一部省略一部切欠斜視図である。
【００２１】
図において、１は合成樹脂製の口栓本体であり、内部が閉塞壁２により閉塞されている筒状部３と、筒状部３の下端外周に形成されたフランジ部４を備えている。前記筒状部３の外周にはねじ山５が形成されている。
【００２２】
６は前記筒状部３の外周に着脱可能に嵌着されるキャップであり、本例では、筒状部３の外周に螺着されるようになっている。キャップ６の内周には、前記筒状部３の外周に形成されたねじ山５と螺合するねじ溝７が形成されている。また、図示しないが、キャップ６の内側には、シール用パッキンを設けてもよい。
【００２３】
前記筒状部３の外周に着脱可能に嵌着されるキャップ６にあっては、本例では螺合といった手段が採用されているが、凹凸嵌合によるワンタッチ方式のものであってもよい。
【００２４】
前記閉塞壁２には、該閉塞壁２の全周を一巡して開口部輪郭を形成する略円形の環状の薄肉線部８が設けられている。９は前記閉塞壁２の前記薄肉線部８内に立設した被引治具であり、該被引治具９を引っ張ることにより閉塞壁２に設けられた薄肉線部８を引き裂き、該薄肉線部８で囲まれた閉塞壁２ａを取り除くようになっている。
【００２５】
前記被引治具９はその殆どが前記筒状部３内に納まり、閉塞壁２に立設した基部９ａの先端に引っ張り作用部１０を設けた構成となっている。この引っ張り作用部１０にあっては、指でしっかりと摘み或いは掛け強く引っ張ることのできるものであれば特に限定されるものではなく、本例では、基部９ａの先端にプルリング１０ａが設けられ、このプルリング１０ａを引っ張り作用部１０としている。
【００２６】
前記引っ張り作用部１０には、該引っ張り作用部１０を筒状部３の外に引っ張り出す引っ張り代１１が設けられている。この引っ張り代１１にあっては、指で容易に且つ確実に摘み或いは掛けることができるものであれば特に限定されるものではなく、本例では前記プルリング１０ａの先端側上面に、弾性変形可能な棒状の突出部１１ａが筒状部３の外方向に向けて突出するように設けられ、この突出部１１ａを引っ張り代１１としている。
【００２７】
前記突出部１１ａは、前記筒状部３にキャップ６を嵌着した状態で筒状部３内とキャップ６の天板６ａとの間に形成された空間Ｓに弾性変形して収容され、前記筒状部３からキャップ６を外したとき、弾性変形からの復元力により筒状部３の外に飛び出すように構成されている。
【００２８】
前記のように、内部が閉塞壁２により閉塞されている筒状部３、筒状部３の下端外周に形成されたフランジ部４及び閉塞壁２に立設した被引治具９で構成される口栓本体１は、軟質性の合成樹脂の射出成形によって一体成形されている。
【００２９】
このように構成された本例によれば、開封に際し、口栓本体１の筒状部３からキャップ６を外したとき、筒状部３内とキャップ６の天板との間に形成された空間Ｓに弾性変形して収容されていた突出部１１ａからなる引っ張り代１１がキャップ６による応力から開放され、その復元力により筒状部３の外に飛び出すので、この飛び出している突出部１１ａを指先で摘むことにより、プルリング１０ａからなる引っ張り作用部１０を筒状部３の外に容易に引っ張り出すことができ、これにより、引っぱり出した引っ張り作用部１０をしっかりと捕らえることができる。
【００３０】
図３，図４は本発明に係る容器の口栓の実施の形態の第２例を示すもので、図３はキャップ６を外した状態の一部省略斜視図、図４は図３の側面図である。
【００３１】
本例では、前記閉塞壁２に立設した基部９ａの先端に設けた引っ張り作用部１０に指先係止部１１ｂが設けられ、この指先係止部１１ｂを引っ張り代１１としている。この指先係止部１１ｂは、指先で引っかけ或いは摘み引っ張り作用部１０を筒状部３の外に容易に引っ張り出すことができるものであれば、特に限定されるものではなく、本例では、引っ張り作用部１０となるプルリング１０ａの先端側上面に筒状部３の外方向に向けて突出するように設けられた、指先で引っかける或いは摘めるようになっている膨出部からなっている。
【００３２】
このように構成された本例によれば、開封に際し、引っ張り作用部１０となるプルリング１０ａの先端側上面に筒状部３の外方向に向けて突出するように設けられた膨出部からなる指先係止部１１ｂを指先で引っかける或いは摘むことにより、プルリング１０ａからなる引っ張り作用部１０を筒状部３の外に容易に引っ張り出すことができ、これにより、引っぱり出した引っ張り作用部１０をしっかりと捕らえることができる。
【００３３】
図５，図６は本発明に係る容器の口栓の実施の形態の第３例を示すもので、図５はキャップ６を外した状態の一部省略斜視図、図６は図５のＡ−Ａ線縦断面図である。
【００３４】
本例は、前記第２例の引っ張り作用部１０に設けられた指先係止部１１ｂの他例を示すものであって、本例の指先係止部１１ｂは、引っ張り作用部１０となるプルリング１０ａの先端側両側面に設けられた、指先が引っかかるようになっている溝部からなっている。
【００３５】
このように構成された本例によれば、開封に際し、引っ張り作用部１０となるプルリング１０ａの先端側両側面に設けられた溝部からなる指先係止部１１ｂに爪を引っかけることにより、プルリング１０ａからなる引っ張り作用部１０を筒状部３の外に容易に引っ張り出すことができ、これにより、引っ張り出した引っ張り作用部１０をしっかりと捕らえることができる。
【００３６】
図７は本発明に係る容器の口栓の実施の形態の第４例を示すもので、キャップ６を外した状態の一部省略斜視図である。
【００３７】
本例は、筒状部３を閉塞している閉塞壁２に立設した被引治具９を構成する基部９ａが折り畳み可能な板状体となっており、伸ばしたときその長さが、少なくとも先端に有する引っ張り作用部１０が筒状部３の外で、指によりしっかりと捕らえることができ、且つ折り畳むことにより筒状部３内に収容される長さに設定されている。前記基部９ａとなる板状体には、折り畳みを容易にする折目１２が付してある。
【００３８】
前記基部９ａの先端に設けた引っ張り作用部１０にあっては、本例では基部９ａの先端に基部９ａと交差する方向に伸びる棒状部１０ｂを形成し、これを引っ張り作用部１０としている。
【００３９】
前記棒状部１０ｂからなる引っ張り作用部１０には、該引っ張り作用部１０を筒状部３の外に引っ張り出す引っ張り代１１が設けられている。この引っ張り代１１にあっては、本例では前記棒状部１０ｂに、前記第１例と同様の弾性変形可能な棒状の突出部１１ａが、被引治具９の基部９ａを折り畳んで筒状部３内に収容したとき筒状部３の外方向に向けて突出するように設けられ、この突出部１１ａを引っ張り代１１としている。
【００４０】
前記突出部１１ａは、前記筒状部３にキャップ６を嵌着した状態で筒状部３内とキャップ６の天板６ａとの間に形成された空間Ｓに弾性変形して収容され、前記筒状部３からキャップ６を外したとき、弾性変形からの復元力により筒状部３の外に飛び出すように構成されている。
【００４１】
このように構成された本例によれば、前記筒状部３にキャップ６を嵌着した状態で筒状部３内とキャップ６の天板６ａとの間に形成された空間Ｓに、前記基部９ａが折り畳まれて収容され且つ前記突出部１１ａが弾性変形して収容され、開封に際し、口栓本体１の筒状部３からキャップ６を外したとき、筒状部３内とキャップ６の天板との間に形成された空間Ｓに弾性変形して収容されていた突出部１１ａからなる引っ張り代１１がキャップ６による応力から開放され、その復元力により筒状部３の外に飛び出すので、この飛び出している突出部１１ａを指先で摘み、前記折り畳まれて収容されている基部９ａを引っ張って伸ばすことにより、棒状部１０ｂからなる引っ張り作用部１０を筒状部３の外に容易に引っ張り出すことができ、これにより、引っ張り出した引っ張り作用部１０をしっかりと捕らえることができる。
【００４２】
図８は本発明に係る容器の口栓の実施の形態の第５例を示すもので、キャップ６を外した状態の一部省略斜視図である。本例は、筒状部３を閉塞している閉塞壁２に立設した被引治具９を構成する基部９ａがコイル体となっており、伸ばしたときその長さが、少なくとも先端に有する引っ張り作用部１０が筒状部３の外で、指によりしっかりと捕らえることができ、縮めることにより筒状部３内に収容される長さに設定されている。
【００４３】
前記コイル体からなる基部９ａの先端に設けた引っ張り作用部１０にあっては、本例では基部９ａの先端に基部９ａと交差する方向に伸びる楕円球状部１０ｃを形成し、これを引っ張り作用点１０としている。
【００４４】
前記楕円球状部１０ｃからなる引っ張り作用部１０には、該引っ張り作用部１０を筒状部３の外に引っ張り出す引っ張り代１１が設けられている。この引っ張り代１１にあっては、本例では前記楕円球状部１０ｃに、前記第１例と同様の弾性変形可能な棒状の突出部１１ａが、被引治具９の基部９ａを縮めて筒状部３内に収容したとき、筒状部３の外方向に向けて突出するように設けられ、この突出部１１ａを引っ張り代１１としている。
【００４５】
前記突出部１１ａは、前記筒状部３にキャップ６を嵌着した状態で筒状部３内とキャップ６の天板６ａとの間に形成された空間Ｓに弾性変形して収容され、前記筒状部３からキャップ６を外したとき、弾性変形からの復元力により筒状部３の外に飛び出すように構成されている。
【００４６】
このように構成された本例によれば、前記筒状部３にキャップ６を嵌着した状態で筒状部３内とキャップ６の天板６ａとの間に形成された空間Ｓに、前記基部９ａが縮められて収容され且つ前記突出部１１ａが弾性変形して収容され、開封に際し、口栓本体１の筒状部３からキャップ６を外したとき、筒状部３内とキャップ６の天板との間に形成された空間Ｓに弾性変形して収容されていた突出部１１ａからなる引っ張り代１１がキャップ６による応力から開放され、その復元力により筒状部３の外に飛び出すので、この飛び出している突出部１１ａを指先で摘み、前記縮められて収容されている基部９ａを引っ張って伸ばすことにより、楕円球状部１０ｃからなる引っ張り作用部１０を筒状部３の外に容易に引っ張り出すことができ、これにより、引っ張り出した引っ張り作用部１０をしっかりと捕らえることができる。
【００４７】
なお、前記した内部が閉塞壁２により閉塞されている筒状部３、筒状部３の下端外周に形成されたフランジ部４及び引っ張り代１１を設けた引っ張り作用部１０を先端に有する被引治具９で構成される口栓本体１を成形する合成樹脂にあっては、低密度ポリエチレンが一般的であるが、シングルサイト系触媒を用いて合成された直鎖状低密度ポリエチレン、ポリプロピレン、その他のポリオレフィン類、変性ポリエチレンテレフタレート等の軟質合成樹脂であれば特に限定されるものではない。
【００４８】
また、キャップ６を成形する合成樹脂にあっては、高密度ポリエチレンが一般的であるが、中密度ポリエチレン、低密度ポリエチレン、直鎖状低密度ポリエチレン、シングルサイト系触媒を用いて合成された直鎖状低密度ポリエチレン、ポリプロピレン等のポリオレフィン類、ＡＢＳ樹脂、ポリカーボネート、アラミド樹脂、ポリエステル、アクリル樹脂等から選ばれた熱可塑性樹脂も使用される。
【００４９】
また、前記例では被引治具９の先端に有する引っ張り作用部１０として、プルリング１０ａ、棒状部１０ｂ、楕円球状部１０ｃを挙げているが、これらに限定されるものではなく、指で容易に且つ確実に捕らえることができる形状であればよい。
【００５０】
また、前記閉塞壁２にあっては、筒状部３を閉塞するものであれば、筒状部３のどの位置に設けられていてもよく、例えば、筒状部３の中間部に設けられていてもよく、また、閉塞壁２に設けられる薄肉線部８の形状は、上記例では、略円形となっているが、これに限られるものではなく、楕円形、矩形、馬蹄形等どのような形状であってもよい。
【００５１】
【発明の効果】
以上のように本発明に係る容器の口栓によれば、開封に際し、被引治具の先端に有する引っ張り作用部に設けられている引っ張り代を指先で引っかける或いは摘むことにより、引っ張り作用部を筒状部の外に容易に引っ張り出すことができるので、引っ張り出した引っ張り作用部をしっかりと捕らえて被引治具を引っ張ることができることから、口栓の筒状部の内径の大きさに拘らず開封用の被引治具の引っ張りを容易に行うことができ、これにより、口栓全体の小型化も可能となり、従来困難或いは不可能視されていた小型容器の口栓としても使用することができる。
【図面の簡単な説明】
【図１】本発明に係る容器の口栓の実施の形態の一例を示す縦断面図。
【図２】図１に示す口栓のキャップを外した状態を示す一部省略一部切欠斜視図。
【図３】本発明に係る容器の口栓の実施の形態の他例を示すキャップを外した状態の一部省略斜視図。
【図４】図３の側面図。
【図５】本発明に係る容器の口栓の実施の形態の他例を示すキャップを外した状態の一部省略斜視図。
【図６】図５のＡ−Ａ線縦断面図。
【図７】本発明に係る容器の口栓の実施の形態の他例を示すキャップを外した状態の一部省略斜視図。
【図８】本発明に係る容器の口栓の実施の形態の他例を示すキャップを外した状態の一部省略斜視図。
【符号の説明】
１  口栓本体
２  閉塞壁
２ａ  薄肉線部で囲まれた閉塞壁
３  筒状部
４  フランジ部
５  ねじ山
６  キャップ
６ａ  天板
７  ねじ溝
８  薄肉線部
９  被引治具
９ａ  基部
１０  引っ張り作用部
１０ａ  プルリング
１０ｂ  棒状部
１０ｃ  楕円球状部
１１  引っ張り代
１１ａ  突出部
１１ｂ  指先係止部
１２  折目
【図１】
2004291988.tif 000003
【図２】
2004291988.tif 000004
【図３】
2004291988.tif 000005
【図４】
2004291988.tif 000006
【図５】
2004291988.tif 000007
【図６】
2004291988.tif 000008
【図７】
2004291988.tif 000009
【図８】
2004291988.tif 000010